(57)【特許請求の範囲】
【請求項１】
用紙束の背面側の端部にその背面に沿って所定の間隔を隔てて複数のパンチ穴を形成し、その複数の各パンチ穴にコイルを挿通して前記用紙束の背面側の端部を前記コイルで綴じてなる冊子を覆う表紙であって、前記表紙は、１枚の厚紙を二つ折りして重ね、その折り曲げた端部からの所定幅を、前記コイルを挿通する前記パンチ穴を形成する綴代部とし、前記綴代部の一方の端部に連接して前記冊子の表表面を覆う表面部を、前記綴代部の他方の端部に連接して前記冊子のコイルを覆う背面部を形成するとともに、前記背面部の端部に連接して前記冊子の裏面を覆う裏面部を形成し、前記各連接部のそれぞれに前記冊子の天地方向に伸びる折筋を形成したことを特徴とするコイル綴じ製本用表紙。
【請求項２】
前記コイルはパンチ穴の間隔をピッチとする螺旋状であることを特徴とする請求項１記載のコイル綴じ製本用表紙。
【請求項３】
用紙束の表面に対向する表紙の表面部に窓を形成してなることを特徴とする請求項１又は請求項２に記載のコイル綴じ製本用表紙。
【請求項４】
請求項１又は請求項２又は請求項３に記載の表紙を用紙束の表面上に前記表紙の綴代部と前記用紙束の背面側の端部を合わせて重ね、その重ねた位置に前記用紙束の背面に沿って所定の間隔を隔てて複数のパンチ穴を形成し、その複数の各パンチ穴にコイルを挿通して前記表紙と用紙束とを前記コイルで綴じ、前記表紙の背面部および裏面部を前記コイルの外側面を囲む前記用紙束の背面および裏面に折り曲げ形成してなることを特徴とする表紙付コイル綴じ冊子。
【発明の詳細な説明】
【０００１】
【発明の属する技術分野】
本発明は、コイル綴じ製本用表紙及びその表紙付コイル綴じ冊子に関するものである。
【０００２】
【従来の技術】
用紙束の背面側の端部に、その背面に沿い所定の間隔を隔ててパンチ穴を用紙束の天地にまたがって形成し、その各パンチ穴に針金やプラスチックなどによりリング状あるいは螺旋状に形成したコイルを挿通して用紙束の背面部をこのコイルで綴じるようにしたコイル製本（リング製本ともいう。）はよく知られている。
【０００３】
図１０はこのようなコイル製本を行なったコイル綴じ冊子の一例を示すもので、この図において、１は用紙束、２は螺旋状に形成したコイル、３は用紙束１の表面を覆う表紙、４は用紙束１の裏面を覆う裏表紙、５はパンチ穴である。コイル綴じ冊子は、用紙束１の背面と表紙３および４の端縁を合わせて、表紙３、用紙束１および裏表紙４を重ね、その重ねた束の背面側の端部位置に、背面に沿って天地方向に所定の間隔を隔てて複数のパンチ穴５を形成し、この各パンチ穴５にコイル２を挿通し、このコイル２で綴じて構成されている。なお、コイルは螺旋状に形成したものに限らず、各パンチ穴５に対応して配列したリング状のコイルである場合もある。この場合、リングの開放部をパンチ穴５に対向して配置し、その開放部を閉じることによりコイル綴じが完成される。
【０００４】
【発明が解決しようとする課題】
このようなコイル綴じ冊子において表紙を設ける場合、その表紙は用紙束１の表面を覆う表紙３と用紙束１の裏面を覆う裏表紙４とからなるため、綴じコイル２は厚く露出した状態となっている。そのためにコイル綴じ冊子を多く重ねるとコイルが絡まり、また、背文字が入れられないので所望の冊子の出し入れが行いにくいという問題があり、また、コイルの部分で中身の露出が多いため保存性が悪いという問題がある。
【０００５】
本発明は、このような問題を解消すべくなされたもので、コイル綴じ製本におけるコイルの露出を防止するコイル綴じ製本用表紙およびその表紙を取り付けた冊子を提供することを目的とする。
【０００６】
【課題を解決するための手段】
請求項１に係る本発明は、用紙束の背面側の端部にその背面に沿って所定の間隔を隔てて複数のパンチ穴を形成し、その複数の各パンチ穴にコイルを挿通して前記用紙束の背面側の端部を前記コイルで綴じてなる冊子を覆う表紙であって、前記表紙は、１枚の厚紙を二つ折りして重ね、その折り曲げた端部からの所定幅を、前記コイルを挿通する前記パンチ穴を形成する綴代部とし、前記綴代部の一方の端部に連接して前記冊子の表表面を覆う表面部を、前記綴代部の他方の端部に連接して前記冊子のコイルを覆う背面部を形成するとともに、前記背面部の端部に連接して前記冊子の裏面を覆う裏面部を形成し、前記各連接部のそれぞれに前記冊子の天地方向に伸びる折筋を形成したことを特徴とする。
【０００７】
請求項２に係る本発明は、請求項１記載のコイルがパンチ穴の間隔をピッチとする螺旋状であることを特徴とし、請求項３に係る本発明は、請求項１又は請求項２に記載の表紙において用紙束の表面に対向する表紙の表面に窓を形成してなることを特徴とする。
【０００８】
請求項４に係る本発明は、請求項１又は請求項２又は請求項３に記載の表紙を用紙束の表面上に前記表紙の綴代部と前記用紙束の背面側の端部を合わせて重ね、その重ねた位置に前記用紙束の背面に沿って所定の間隔を隔てて複数のパンチ穴を形成し、その複数の各パンチ穴にコイルを挿通して前記表紙と用紙束とを前記コイルで綴じ、前記表紙の背面部および裏面部を前記コイルの外側面を囲む前記用紙束の背面および裏面に折り曲げ形成してなることを特徴とする。
【０００９】
【発明の実施の形態】
以下、本発明の実施の形態について図を参照して説明する。図１は本発明の実施の形態に係る表紙の斜視図、図２〜図８は図１の表紙を用いた表紙付コイル綴じ冊子の組立て説明図、図９は本発明の実施の形態に係る表紙付コイル綴じ冊子の構成を示す斜視図である。なお、図１０に示す従来の表紙付コイル綴じ冊子と同一および対応する部分には同一の符号を付している。
【００１０】
図１において、６は表紙であり、表紙６は用紙束の表面を覆う表面部３と用紙束の裏表面を覆う裏表面部４とを１枚の厚紙を折り曲げ重ねて形成されている。折り曲げた所定幅の端部６ａは密着され、コイル挿通穴を形成する綴代部となっている。綴代部６ａの端縁に折筋６ｃが形成され、折筋６ｃから裏表面部４に到る間に背面部６ｂが形成されている。６ｄ、６ｅ、６ｆは折筋であり背面部６ｂの幅をコイルの外径に応じた幅にするためで、例えば用紙束の厚みが厚くコイルの外径が大きい場合には、折筋６ｆで折り曲げることにより背幅を広くする。
【００１１】
以上のように構成した表紙６は、表紙付コイル綴じ冊子を形成するとき、図２に示すように綴る用紙束１の上に綴代部６ａ側の端縁を用紙束１の背面１ａに合わせて積み重ね、図３に示すように綴代部６ａおよび用紙束１の背面側の端部にコイル挿通用のパンチ穴５を形成する。このパンチ穴５は図９に示すように、用紙束１の背面に沿い所定の間隔を隔てて天地にまたがって形成されている。
【００１２】
パンチ穴５を形成したあとその各パンチ穴５に、パンチ穴５の間隔をピッチとする螺旋状のコイル２を回転して順次挿通し、図４に示すように用紙束１と表紙６をコイル２で綴じる。そして、図５に示すように表紙６を反対方向に開き、図６に示すように折筋６ｃで裏表面部４側を折り曲げ、さらに図７に示すように折筋６ｄで用紙束１の裏面側に折り曲げる。図９はこの状態の斜視図である。最後に表面部３側に形成された折筋６ｃで表面部３側を図８に示すように、用紙束１の表面側に折り曲げて表紙付コイル綴じ冊子を完成させる。これにより用紙束１の表面、裏面およびコイル２の全体を一つの表紙６で覆うことができる。
【００１３】
なお、以上の実施の形態では、表紙６を１枚の厚紙を折り曲げて形成しているが、表紙６の部材は適宜であり、また、２枚の厚紙を綴代部で貼り合わせて形成しても良い。また、図９に一点鎖線で示すよう表面部３に窓Ｗを形成するようにしても良い。さらにコイルは螺旋状に形成したものに限らず、各パンチ穴５に対応して配列したリング状のコイルであっても良い。
【００１４】
【発明の効果】
以上説明したように、本発明によればコイル綴じ部の外周面をそのコイルで綴じた表紙で覆うので、１８０度あるいは３６０度の見開き性や取外し性などが行ないやすいコイル綴じ製本の長所を保持したまま、重ねた冊子からの出し入れが容易であるとともに、中身の露出が少ないため保存性が良いという効果を奏し、また、コイル綴じ部を表紙により補強することができる。
【図面の簡単な説明】
【図１】本発明の実施の形態に係る表紙の斜視図である。
【図２】図１の表紙を用いた表紙付コイル綴じ冊子の組立て説明図である。
【図３】図１の表紙を用いた表紙付コイル綴じ冊子の組立て説明図である。
【図４】図１の表紙を用いた表紙付コイル綴じ冊子の組立て説明図である。
【図５】図１の表紙を用いた表紙付コイル綴じ冊子の組立て説明図である。
【図６】図１の表紙を用いた表紙付コイル綴じ冊子の組立て説明図である。
【図７】図１の表紙を用いた表紙付コイル綴じ冊子の組立て説明図である。
【図８】図１の表紙を用いた表紙付コイル綴じ冊子の組立て完成側面図である。
【図９】本発明の実施の形態に係る表紙付コイル綴じ冊子の構成を示す斜視図である。
【図１０】従来の表紙付コイル綴じ冊子の構成を示す斜視図である。
【符号の説明】
１    用紙束
１ａ  用紙束の背面
２    綴じコイル
３    表面部
４    裏表面部
５    パンチ穴
６    表紙
６ａ  綴代部
６ｂ  背面部
６ｃ、６ｄ、６ｅ、６ｆ    折筋
【図１】
0004753499.tif 000002
【図２】
0004753499.tif 000003
【図３】
0004753499.tif 000004
【図４】
0004753499.tif 000005
【図５】
0004753499.tif 000006
【図６】
0004753499.tif 000007
【図７】
0004753499.tif 000008
【図８】
0004753499.tif 000009
【図９】
0004753499.tif 000010
【図１０】
0004753499.tif 000011